(57)【特許請求の範囲】
【請求項１】
釣用リールのスプールとスプール軸との間に配置され、クリック音を発する発音機構であって、
前記スプールの内周部に配置された凹凸部と、
前記スプール軸に対して少なくとも一方向に相対回転不能に設けられ、その直径に対して傾斜して前記凹凸部に対向する外周位置に開口する開口穴を有する円板部材と、
前記円板部材の開口穴に配置された音出しピンと、
前記音出しピンを前記凹凸部に向けて付勢する付勢部材と、
を備えた釣用リールの発音機構。
【請求項２】
前記開口穴は前記円板部材に複数設けられ、前記円板部材の周方向に下記式で示す離反角度ずつ離れて形成されている、請求項１に記載の釣用リールの発音機構。
離反角度＝Ｎ×ＰＡ＋（１／Ｈｎ）×ＰＡ
ただし、Ｎ  ：整数
ＰＡ：凹凸部のピッチ角度
Ｈｎ：開口穴の数
【請求項３】
前記スプールは前記円板部材に対して双方向に回転し、
前記開口穴は、前記円板部材の直径に対して線対称に１対設けられている、請求項１に記載の釣用リールの発音機構。
【請求項４】
前記スプールは前記円板部材に対して双方向に回転し、
前記開口穴は、柱状にあけられた穴部と、前記穴部の開口部分の鈍角側に穴部より延びて形成された逃がし部とを有している、請求項１から３のいずれかに記載の釣用リールの発音機構。
【請求項５】
前記開口穴は、前記円板部材の直径に対して１０度〜４５度傾斜して形成されている、請求項１から４のいずれかに記載の釣用リールの発音機構。
【請求項６】
前記円板部材は、その直径に対して傾斜して前記開口穴となる溝が形成された第１円形部材と、前記溝を覆うように第１円形部材に固着された第２円形部材とを有している、請求項１から５のいずれかに記載の釣用リールの発音機構。
【請求項７】
前記音出しピンは、先端に平坦部を有する球状の発音部と、前記発音部より径が小さい軸部とを有している、請求項１から６のいずれかに記載の釣用リールの発音機構。
【請求項８】
前記付勢部材は、前記音出しピンの軸部の外周に圧縮状態で配置されたコイルバネである、請求項７に記載の釣用リールの発音機構。
【請求項９】
前記釣用リールは片軸受リールであり、前記円板部材はスプール軸に一方向にのみ回転可能に設けられている、請求項１から８のいずれかに記載の釣用リールの発音機構。
【請求項１０】
前記釣用リールはスピニングリールであり、前記円板部材はスプール軸に回転不能に設けられている、請求項１から８のいずれかに記載の釣用リールの発音機構。
【発明の詳細な説明】
【０００１】
【発明の属する技術分野】
本発明は、スピニングリールのドラグ機構や片軸受リールの制動機構が作動したときにクリック音を発する釣用リールの発音機構に関する。
【０００２】
【従来の技術】
スピニングリールや片軸受リールには、魚からの引きが強いときにスプールを糸繰り出し方向に制動をかけつつ回転させて魚とのやりとりを行うためのドラグ機構等の制動機構が設けられている。この制動機構には、スプールとスプール軸とが相対回転していることを釣り人に告知するためにクリック音を出す発音機構が設けられている。
【０００３】
この種の発音機構として、軽快なクリック音を発するために、バネで付勢された音出しピンを、音出しピンと相対回転する部材に設けられた凹部に衝突させて発音するものが知られている。この発音機構は、スプールの内周面に形成された凹凸部と、スプール軸に対して少なくとも一方向に相対回転不能に設けられ、その直径に沿って凹凸部に対向する外周位置に開口する開口穴を有する円板部材と、円板部材の開口穴に配置された音出しピンと、音出しピンを凹凸部に向けて付勢するバネとを備えている。
【０００４】
この発音機構では、スプールとスプール軸とが相対回転すると、音出しピンがバネによって付勢されて径方向外方に飛び出し、凹凸部の凹部に衝突して音が大きく歯切れがよい軽快なクリック音を出す。
【０００５】
【発明が解決しようとする課題】
前記従来の発音機構では、音が大きく歯切れが良い軽快なクリック音を出すためにはバネストロークをある程度確保する必要がある。このようにバネストロークを確保すると、開口穴の長さが長くなる。開口穴の長さが長いと、開口穴が直径に沿って形成されているので、径方向に大きなスペースが必要になる。このため、内外径に制限のある小型のリールの場合、このような発音機構を設けるのが困難であり、小型のリールにおいて軽快なクリック音を出しにくい。
【０００６】
本発明の課題は、軽快なクリック音を出せる発音機構において、その径方向のスペースを可及的に小さくすることにある。
【０００７】
【課題を解決するための手段】
発明１に係る釣用リールの発音機構は、釣用リールのスプールとスプール軸との間に配置され、クリック音を発する機構であって、凹凸部と、円板部材と、音出しピンと、付勢部材とを備えている。凹凸部は、スプールの内周部に配置されている。円板部材は、スプール軸に対して少なくとも一方向に相対回転不能に設けられ、その直径に対して傾斜して凹凸部に対向する外周位置に開口する開口穴を有している。音出しピンは、円板部材の開口穴に配置されている。付勢部材は、音出しピンを凹凸部に向けて付勢する。
【０００８】
ここでは、開口穴が円板部材の直径に対して傾斜しているので、直径に沿って開口穴を形成する場合に比べて開口穴の長さが同じであっても径方向のスペースが小さくなる。このため、小さなスペースで付勢部材のストロークを確保でき、径方向に小さなスペースであっても軽快なクリック音を発することができる。また、開口穴が傾斜して配置されているので、回転方向によって異なるクリック音が発生する。このため、スプールとスプール軸とが双方向に相対回転する場合には、クリック音により回転方向を判断できる。
【０００９】
発明２に係る釣用リールの発音機構は、発明１に記載の発音機構において、前記開口穴は円板部材に複数設けられ、円板部材の周方向に下記式で示す離反角度離れて形成されている。
離反角度＝Ｎ×ＰＡ＋（１／Ｈｎ）×ＰＡ
ただし、Ｎ  ：整数
ＰＡ：凹凸部のピッチ角度
Ｈｎ：開口穴の数
ここでは、開口穴が凹凸部のピッチ角度を分周した分だけずらして配置されているので、クリック音の間隔が開口穴分細かくなり、より軽快なクリック音が得られる。
【００１０】
発明３に係る釣用リールの発音機構は、発明１に記載の発音機構において、スプールは前記円板部材に対して双方向に回転し、前記開口穴は円板部材の直径に対して線対称に１対設けられている。
ここでは、線対称に１対の開口穴が形成されているので、スプールが円板部材に対して双方向に回転しても、どちらの回転方向でも同じ音量のクリック音が発生する。
【００１１】
発明４に係る釣用リールの発音機構は、発明１から３のいずれかに記載の発音機構において、スプールは前記円板部材に対して双方向に回転し、前記開口穴は、柱状にあけられた穴部と、穴部の開口部分の鈍角側に穴部より延びて形成された逃がし部とを有している。この場合には、逆転時（凹凸部が鈍角側に相対回転するとき）に音出しピンが逃がし部に逃げて逆転時の音がほとんどしなくなる。
【００１２】
発明５に係る釣用リールの発音機構は、発明１から４のいずれかに記載の発音機構において、前記開口穴は、円板部材の直径に対して１０度〜４５度傾斜して形成されている。開口穴の傾斜が１０度未満であると、開口穴の長さをそれほど長くすることができず、径方向のスペースを効果的に小さくできない。また、４５度を超えると、逆転時に、音出しピンが開口穴に引き込まれにくくなり、スプールが逆転しにくくなる。
【００１３】
発明６に係る釣用リールの発音機構は、発明１から５のいずれかに記載の発音機構において、前記円板部材は、その直径に対して傾斜して開口穴となる溝が形成された第１円形部材と、溝を覆うように第１円形部材に固着された第２円形部材とを有している。
発明７に係る釣用リールの発音機構は、発明１から６のいずれかに記載の発音機構において、前記音出しピンは、先端に平坦部を有する球状の発音部と、発音部より径が小さい軸部とを有している。この場合には、凹凸部と平坦部との接触状態が解消された瞬間に音出しピンが凹凸部の凹部に向かって瞬時に移動するので音出しピンの移動速度が速くなり、より歯切れのよい軽快なクリック音が得られる。また、音出しピンのストロークが短縮するので、凹部から音出しピンが抜け出すのに必要な力が少なくてすみ、回転抵抗が小さくなる。
【００１４】
発明８に係る釣用リールの発音機構は、発明７に記載の発音機構において、前記付勢部材は、音出しピンの軸部の外周に圧縮状態で配置されたコイルバネである。
発明９に係る釣用リールの発音機構は、発明１から８のいずれかに記載の発音機構において、前記釣用リールは片軸受リールであり、前記円板部材はスプール軸に一方向にのみ回転可能に設けられている。
【００１５】
発明１０に係る釣用リールの発音機構は、発明１から８のいずれかに記載の発音機構において、前記釣用リールはスピニングリールであり、前記円板部材はスプール軸に双方向に回転不能に設けられている。
【００１６】
【発明の実施の形態】
実施形態１
図１において、本発明の一実施形態を採用した片軸受リールは、リール本体１と、リール本体１に片持ち支持されたスプール軸２と、スプール軸２に対して相対回転自在に配置され外周に釣り糸が巻かれるスプール３とを備えている。
【００１７】
〔全体の構造〕
リール本体１は、一方側（図１左側）に円盤状の側板１０を有し、他方側は開放されている。側板１０の外周には、軸方向に延びる複数の保護部１１が円周方向に所定の間隔で形成されている。保護部１１には、この片軸受リールを釣り竿に取り付けるための取付部１２が設けられている。
【００１８】
スプール軸２は、その一端がリール本体１の側板１０の中心部にねじ込み固定されている。スプール３は、内部に空間３ａを有する筒状の胴部１５と、胴部１５の一端部に形成された円盤状の内フランジ１６と、胴部１５の他端部にリール本体１の開放部を覆うように形成された外フランジ１７とを有している。内フランジ１６はリール本体１の側板１０と対向するように形成されている。空間３ａのうちスプール軸２の先端側は端面部１８で塞がれている。端面部１８は胴部１５および内外フランジ１６、１７と一体形成されている。端面部１８の外面は、中心部分がわずかに外側に膨出し、中心から外周に向かって緩やかに傾斜して平坦な外フランジ１７の外面へと連続的につながっている。外フランジ１７の外面で外周近くにはハンドル４８が取り付けられている。ハンドル４８は、ベアリング４９を介して外フランジ１７に回転自在に支持されており、ハンドル４８をつかんだままでのスプール３の回転操作を容易にしている。
【００１９】
次に、スプール３の内部空間３ａに配置された機構について説明する。
図２に詳しく示すように、スプール３の内部空間３ａ内には、スプール３をスプール軸２に対して回転自在に支持する１対の転がり軸受２１、２２と、スプール３の釣り糸繰り出し方向の回転を制動する回転制動機構２３と、スプール３のスプール軸２からの抜け出しを防止するための係脱機構２４とを有している。
【００２０】
〔回転制動機構〕
回転制動機構２３は、筒状のホルダ３０と、一方向クラッチ３１と、ブレーキプレート３２ａ，３２ｂと、ブレーキプレート３２ｂをホルダ３０に押圧するための押圧機構２５と、発音機構２６とを有している。
ホルダ３０は、スプール３に対して相対回転自在に装着されており、一方向クラッチ３１を収納するボディ部３０ａと、ボディ部３０ａから軸方向に突出して形成された支持部３０ｂと、支持部３０ｂにビス止めされた蓋部材３０ｃとを有している。
【００２１】
一方向クラッチ３１は、ホルダ３０とスプール軸２との間に配置されている。一方向クラッチ３１は、ホルダ３０のスプール軸２に対する糸巻き上げ方向への相対回転を許容し、糸繰り出し方向への相対回転を禁止する。ブレーキプレート３２ａ，３２ｂは、ホルダ３０の蓋部材３０ｃ側の端面と押圧機構２５との間に配置されている。
【００２２】
ホルダ３０のボディ部３０ａ側の側方には固定部材３３が配置されている。固定部材３３はスプール３に対して相対回転不能に固定されている。また、固定部材３３と転がり軸受２２との間には、スプール３の軸方向のガタをなくすために、固定部材３３と転がり軸受２２とを互いに離反する方向に付勢する板ばね２９が配置されている。
【００２３】
押圧機構２５は、スプール３の側面にビス止めされた受け部材３６と、受け部材３６の外周に軸方向に移動自在に配置され、ブレーキプレート３２ａと対向する円板状の押圧板４０と、押圧板４０とブレーキプレート３２ａとの間で受け部材３６の外周に装着されたコイルバネ４２とを有している。ブレーキプレート３２ａは、受け部材３６の端部に軸方向に移動可能で径方向には回転不能に支持されており、コイルバネ４２の付勢力でプレーキプレート３２ａは、ブレーキプレート３２ｂを介してホルダ３０の側端面に押圧されている。受け部材３６は、内周面とスプール軸２との間に転がり軸受２１が配置され外周に押圧板４０とコイルバネ４２とプレーキプレート３２ａとが配置された筒部３６ａと、筒部３６ａの端部に一体形成され胴部１５の端面に当接してビス止めされるフランジ部３６ｂとを有している。
【００２４】
押圧板４０の側端面のうちコイルバネ４２に隣接する側とは反対側にはブレーキ調整突起４４が取り付けられている。ブレーキ調整突起４４は、受け部材３６のフランジ部３６ｂに周方向に沿って深さが変化するように形成された摺動孔（図示せず）に嵌挿されており、これを周方向に移動させることでコイルバネ４２への押圧力を変化させるようになっている。この押圧力が変化するとコイルバネ４２からブレーキプレート３２ａ，３２ｂを介してホルダ３０に加わる押圧力が変化する。その結果、釣り糸の繰り出しによって回転するスプール３へのブレーキ力が調整される。
【００２５】
〔発音機構〕
発音機構２６は、図３に詳しく説明するように、ホルダ３０の支持部３０ｂと、胴部１５の内周面に波線状に形成された凹凸部１５ａと、支持部３０ｂ内の開口穴２８に配置された音出しピン３５と、音出しピン３５を凹凸部１５ａ側に付勢するコイルバネ３７とを有している。支持部３０ｂは、発音機構２６を構成する第１円形部材となっており、その内部には開口溝２７が形成されている。開口溝２７は、直径に対して傾斜して互いに開くように線対称に１対形成されており、支持部３０ｂの外周面に開口している。開口溝２７の傾斜角度αは、たとえば、支持部３０ｂの外周において開口溝２７の中心と交わる直径に対して４０度である。また、開口溝２７は、音出しピン３５が凹凸部１５ａのピッチ角度の整数倍離れて配置されるように形成されている。
【００２６】
開口溝２７の開口部分には、鈍角側に膨らんだ逃がし部２７ａが形成されている。この逃がし部２７ａは、スプール３が鋭角側から鈍角側に回転したとき、音出しピン３７を逃がし部２７ａに逃がして音がなりにくいようにするためである。蓋部材３０ｃ（図２）は、発音機構２６を構成する第２円形部材となっており、開口溝２７を蓋部材３０ｃで塞ぐことにより開口穴２８が構成される。なお、開口穴２８は、直径に対して１０度〜４５度の範囲で傾斜して形成されていればよい。開口穴２８の傾斜が１０度未満であると、開口穴２８の長さをそれほど長くすることができず、径方向のスペースを効果的に小さくできない。また、４５度を超えると、逆転時に、音出しピン３７が開口穴２８に引き込みにくくなり、逆転しにくくなる。
【００２７】
音出しピン３５は、先端に平坦部３５ａを有し凹凸部１５ａに衝突する略半球状の発音部３５ｂと、発音部３５ｂから延びる小径の軸部３５ｃとを有している。コイルバネ３７は、音出しピン３５の軸部３５ｃの周囲に圧縮状態で配置されている。音出しピン３５が平坦部３５ａを有していると、凹凸部１５ａと平坦部３５ａとの接触状態が解消された瞬間に音出しピン３５が凹凸部１５ａの凹部に向かって瞬時に移動するので音出しピン３５の移動速度が速くなり、より歯切れのよい軽快なクリック音が得られる。また、音出しピン３５のストロークが短縮するので、凹部から音出しピン３５が抜け出すのに必要な力が少なくてすみ、回転抵抗が小さくなる。
【００２８】
このように、開口穴２８を直径に対して斜めに形成することで、支持部３０ｂが径方向に限られた小さな空間であっても、開口穴を直径に沿って形成する場合に比べて開口穴２８の長さを長い寸法にすることができる。このため、コイルバネ３７のストロークを長くとることができ、軽快なクリック音を発することができる。
【００２９】
ここでは、魚がかかってスプール３がブレーキ力に抗して糸繰り出し方向に回転し、ホルダ３０と胴部１５とが相対的に回転すると、凹凸部１５ａ側に付勢された音出しピン３５と凹凸部１５ａとが弾発的に衝突を繰り返してクリック音を発生する。ホルダ３０と胴部１５との間に回転のずれがなく一体的に同期回転しているときにはクリック音は発生しない。
【００３０】
〔係脱機構〕
係脱機構２４は、図２及び図４に示すように、概略Ｌ字形の板状をなし一端が支持ピン４５に旋回自在に支持された係脱部材４６と、係脱部材４６の他端に固定された突起状の操作つまみ４７とを有している。支持ピン４５は端面部１８の内面に有する支持孔１８ａに嵌入支持されている。係脱部材４６は、スプール軸２の端部に形成された係合周溝２ａに係合可能な係合位置と、係合周溝２ａから離脱した係合解除位置とを取り得る。
【００３１】
係脱部材４６は、その側部に配置されたリターンばね５０によって常に係合位置に付勢されている。リターンばね５０はヘアピン状に屈曲した帯状の板ばね材料からなり、左右片５０ａ、５０ｂと両者を一端で連結する連結部５０ｃとを有している。リターンばね５０は、連結部５０ｃの中央に配置され固定部材３３側に固定された支持軸５２に支持されている。リターンばね５０は左片５０ａが係脱部材４６の側部に当接し、右片５０ｂが固定部材３３の内周縁に当接しており、左右片５０ａ、５０ｂの間隔が狭められた状態で装着されている。左右片５０ａ、５０ｂが拡がろうとする弾発力が係脱部材４６を係合位置へと付勢する力を生じさせる。操作つまみ４７を操作しない限り、係脱部材４６は常にスプール軸２の係合周溝２ａに係止し、スプール軸２からスプール３が抜け出るのを阻止する。
【００３２】
操作つまみ４７は、スプール３の端面部１８に貫通する円弧状の長孔からなる遊動孔１８ｂに挿通されて端面部１８の外部に露出している。遊動孔１８ｂに沿って操作つまみ４７が移動すると、係脱部材４６も操作つまみ４７とともに移動するが、操作つまみ４７の移動位置が何れの位置であっても、係脱部材４６が遊動孔１８ｂの内面側を塞ぐ。具体的には、Ｌ字形をなす係脱部材４６の短辺部分の面積が、遊動孔１８ｂの幅および長さに比べて十分に広く設定されていて、遊動孔１８ｂを塞ぐ遮蔽面４６ａとなる。このような遮蔽面４６ａを備えていることで、遊動孔１８ｂを通じて外部から内部空間３ａへと水や塵埃その他の異物が浸入するのを防ぐことができる。
【００３３】
〔リールの動作〕
次に動作について説明する。
図示していないが、スプール３の胴部１５の外周には釣り糸が巻かれる。釣り糸を巻き取る際には、ハンドル４８を操作してスプール３を回転させる。スプール３はスプール軸２に対して相対回転する。このとき、一方向クラッチ３１はホルダ３０のスプール軸２に対する巻取り方向の回転は許容するので、回転制動機構２３、発音機構２６等のスプール３の内部空間に収納された部品はスプール３とともに回転する。したがって、回転が制動されることなく、また発音することなくスプール３はスムーズに回転する。
【００３４】
スプール３から釣り糸を繰り出す際には、スプール３は前記とは逆方向に回転する。このとき、スプール３とホルダ３０とは、受け部材３６、コイルばね４２およびブレーキプレート３２ａ，３２ｂを介して互いに圧接されているので、ホルダ３０はスプール３と同方向に回転しようとする。しかし、一方向クラッチ３１によってホルダ３０の繰り出し方向の回転は禁止されている。そのため、コイルばね４２の付勢力により設定された制動力がスプール３の回転力に作用し、スプール３は所定のブレーキが作用した状態となる。このため、スプール３が必要以上に回転して釣り糸が過剰に引き出されるのを防止でき、糸からみを避けることができる。
【００３５】
また、このような釣り糸の繰り出し時には、受け部材３６はスプール３とともに回転し、ホルダ３０はその回転が禁止されているので、ホルダ３０に支持されたばね部材３７に対して胴部１５の凹凸部１５ａが相対的に回転する。これにより、スプール３の回転に伴って、コイルバネ３７により外方に付勢された音出しピン３５の発音部３５ｂが凹凸部１５ａの凹部に衝突することとなり、軽快なクリック音を発生する。
【００３６】
つぎに、この片軸受リールは、スプール３をリール本体１およびスプール軸２から取り外すことができる。
操作つまみ４７をリターンばね５０の付勢力に対向して操作し、係脱部材４６をスプール軸２の係合周溝２ａから離脱させる。操作つまみ４７を離脱位置に維持したままで、スプール３をスプール軸２から抜き出す。スプール３には、受け部材３６、一対の転がり軸受２１、２２、一方向クラッチ３１および係脱部材４６などの機構部品が装着されたままで、スプール軸２から取り外される。
【００３７】
スプール軸２から取り外したスプール３は、内部の機構部品を交換したり、汚れの除去作業を行ったり、あるいは、ブレーキ力の調整を行ったりすることができる。
スプール３を取り外すことで、釣り糸の巻取り方向を右巻きから左巻きに、あるいはその逆に変更することができる。スプール軸２から取り外したスプール３に対して、ビス３５を取り外し、受け部材３６等とともに一方向クラッチ３１をスプール３の内部空間から取り出す。そしてこの一方向クラッチ３１の組み付け方向を逆にして装着し、前記と逆の作業によってリールを組み立てる。その結果、一方向クラック３１の回転許容方向および回転阻止方向が逆になるので、釣り糸の巻取り方向が左右逆になる。
【００３８】
上記実施形態では、回転制動機構２３や係脱機構２４等を構成する各部品がすべてスプール３の内部空間３ａ内に収納される。しかも発音機構２６の音出しピン３５が直径に対して傾斜して斜めに配置されている。したがって、特にリール本体１の側板１０とスプール３の内フランジ１６との間のスペースを狭くできるとともに、ホルダ３０の支持部３０ｂの外径を小さく抑えることができ、リールの小型化が可能になる。また、各機構内に砂等が侵入するのを抑えることができる。さらに、スプール３をスプール軸２から抜き出した際に、リール本体側に部品が装着されていないので、従来品のように分解した際にリール本体側に装着された部品が意に反して外れたりすることもなく、組立、分解作業時の取り扱いが容易になる。さらに、右巻きを左巻きに変更することが容易になる。
【００３９】
実施形態２
〔全体構成及びリール本体の構成〕
図５に示す本発明の実施形態２を採用したスピニングリールは、ハンドル６１を備えたリール本体６２と、リール本体６２の前部に回転自在に支持されたロータ６３と、ロータ６３の前部に配置され釣り糸を巻き取るスプール６４とを備えている。
【００４０】
リール本体６２はボディ６２ａを有しており、その上部にはスピニングリールを釣り竿に取りつけるための取付部６２ｂが形成されている。ボディ６２ａの内部には、ロータ６３を回転させるためのロータ駆動機構６５と、スプール６４を回転軸芯Ｘに沿って前後方向に移動させてスプール６４に釣り糸を均一に巻き取るためのレベルワインド機構６６（往復動機構）とが設けられている。
【００４１】
〔各部の構成〕
ロータ駆動機構６５は、ハンドル６１が固定されたハンドル軸７０とともに回転するフェースギア７１と、このフェースギア７１に噛み合うピニオンギア７２とを有している。ハンドル軸７０はリール本体６２に回転自在に支持されている。ピニオンギア７２は筒状に形成されており、その前部７２ａはロータ６３の中心部を貫通してスプール６４側に延びている。そして、その先端にはねじ部が形成されている。ピニオンギア７２の軸方向の中間部と後端部とは、それぞれ転がり軸受７３，７４を介してリール本体６２に回転自在に支持されている。なお、ピニオンギア７２の後端部を支持する転がり軸受７４は、フェースギア７１の本体の内部に位置している。
【００４２】
レベルワインド機構６６は、スプール６４の中心部に固定されたスプール軸８０を前後方向に移動させてスプール６４を同方向に移動させるための機構である。レベルワインド機構６６は、スプール軸８０の下方に配置された螺軸８１と、螺軸８１に沿って前後方向に移動するスライダー８２と、螺軸８１の先端に固定された中間ギア８３とを有している。螺軸８１は、スプール軸８０と平行に配置されており、ボディ６２ａに回転自在に支持されている。また、螺軸８１の外周部には螺旋状の溝８１ａが形成されている。スライダー８２にはスプール軸８０の後端が固定されている。また、中間ギア８３はピニオンギア７２に噛み合っている。
【００４３】
ロータ６３は、円筒部９０と、円筒部９０の側方に互いに対向して設けられた第１アーム部９１及び第２アーム部９２とを有している。円筒部９０と両アーム部９１，９２とは一体成形されている。
円筒部９０の前部には前壁９３が形成されており、前壁９３の中央部にはボス９３ａが形成されている。ボス９３ａの中心部には貫通孔が形成されており、この貫通孔をピニオンギア７２の前部７２ａ及びスプール軸８０が貫通している。前壁９３の前方側にはナット９４が配置されており、このナット９４がピニオンギア７２の先端ねじ部に螺合している。ナット９４の内周部には、スプール軸８０を回転自在に支持する軸受９５が配置されている。
【００４４】
第１アーム部９１の先端の内周側には、第１ベール支持部材１００が揺動自在に取り付けられている。第１ベール支持部材１００の先端には、釣り糸をスプール６４に案内するためのラインローラ１０１が装着されている。また、第２アーム部９２の先端の内周側には、第２ベール支持部材１０２が揺動自在に装着されている。第１ベール支持部材１００先端のラインローラ１０１と第２ベール支持部材１０２との間には、ベール１０３が設けられている。このように、第１ベール支持部材１００を第１アーム部９１の内周側に装着することにより、第１ベール支持部材１００の回転半径が小さくなり、釣り竿を持つ手に当たりにくくなる。したがって、スプール６４と釣り竿とを近づけることができ、全体として小型化が可能となる。
【００４５】
なお、ロータ６３の円筒部９０の内部には、ロータ６３の逆転防止機構１１０が配置されている。逆転防止機構１１０は、ローラ型のワンウェイクラッチ１１１と、このワンウェイクラッチ１１１を操作するための操作機構１１２とを有している。操作機構１１２は、図５に示すように、操作ロッド１２２と、操作ロッド１２２の後端に連結された操作レバー１２４とを有している。
【００４６】
〔スプール〕
スプール６４は、ロータ６３の第１アーム部９１と第２アーム部９２との間に配置されており、スプール軸８０の先端にドラグ機構１３０を介して装着されている。スプール６４は、外周の釣り糸が巻かれる糸巻胴部６４ａと、糸巻胴部６４ａの後部に一体で形成されたスカート部６４ｂと、糸巻胴部６４ａの前端に固定されたフランジ板６４ｃと、フランジ板６４ｃを挟んで糸巻胴部６４ａにねじ込まれるスプールリング６４ｄとを有している。
【００４７】
〔ドラグ機構〕
ドラグ機構１３０は、図６及び図７に示すように、スプール軸８０にねじ込まれドラグ力を調整するための調整つまみ１３１と、調整つまみ１３１とスプール６４との間に配置された複数のドラグ座金１３２、発音機構１３３及びドラグ座金１３４とを有している。調整つまみ１３１の中心部にはナット１３５が、調整つまみ１３１に対して回転不能に埋め込まれており、スプール軸８０の前端部に形成された雄ねじ部８０ａにナット１３５がねじ込まれている。なお、スプール軸８０の前端部外周面には、ドラグ座金１３２の一部及び発音機構１３３を回転不能に係止するための面取り部８０ｂが平行に形成されている。また、ドラグ座金１３２，１３４及び発音機構１３３は、糸巻胴部６４ａの内周面に係止される抜け止めバネ１３６によりスプール軸８０からの抜け止めがなされている。このような構成では、調整つまみ１３１のねじ込み量を調整することにより、スプール６４に対する押圧力を調整でき、ドラグ力を調整可能である。
【００４８】
〔発音機構〕
発音機構１３３は、図７及び図８に示すように、糸巻胴部６４ａの内周面奥側に形成された凹凸部１３９と、ドラグ座金１３２に接触しスプール軸８０に回転不能に係止された円板状の蓋部材１４０と、蓋部材１４０を皿ビス１４１によりビス止めしたリング状の回転部材１４２と、回転部材１４２内に配置された音出しピン１４３と、音出しピン１４３を凹凸部１３９側に付勢するコイルバネ１４４とを有している。
【００４９】
回転部材１４２は、発音機構１３３を構成する第１円形部材となっており、その内部には開口溝１４５が形成されている。開口溝１４５は、直径に対して傾斜して互いに閉じるように線対称に１対形成されており、回転部材１４２の外周面に開口している。開口溝１４５の傾斜角度βは、たとえば、回転部材１４１の外周において開口溝１４５の中心と交わる直径に対して４０度である。また、開口溝１４５は、音出しピン１４３が凹凸部１３９のピッチ角度の整数倍離れて配置されるように形成されている。
【００５０】
開口溝１４５の開口部分には、鈍角側に膨らんだ逃がし部１４５ａが形成されている。蓋部材１４０は、発音機構１３３を構成する第２円形部材となっており、開口溝１４５を蓋部材１４０で塞ぐことにより開口穴１４６が構成される。なお、開口穴１４６は、直径に対して１０度〜４５度の範囲で傾斜して形成されていればよい。開口穴１４６の傾斜が１０度未満であると、開口穴１４６の長さをそれほど長くすることができず、径方向のスペースを効果的に小さくできない。また、４５度を超えると、逆転時に、音出しピン１４３が開口穴１４６に引き込みにくくなり、逆転しにくくなる。
【００５１】
音出しピン１４３は、先端に平坦部１４３ａを有し凹凸部１３９に衝突する球状の発音部１４３ｂと、発音部１４３ｂから延びる小径の軸部１４３ｃとを有している。コイルバネ１４４は、音出しピン１４３の軸部１４３ｃの周囲に圧縮状態で配置されている。
ここでは、魚がかかってスプール６４がドラグ力に抗して糸繰り出し方向にスプール軸８０に対して相対的に回転すると、凹凸部１３９側に付勢された音出しピン１４３と凹凸部１３９とが弾発的に衝突を繰り返してクリック音を発生する。スプール６４が静止しているとクリック音は発生しない。
【００５２】
このように、開口穴１４６を直径に対して斜めに形成することで、スプール６４の糸巻胴部６４ａが径方向に限られた小さな空間であっても、開口穴を直径に沿って形成する場合に比べて開口穴１４６の長さを長い寸法にすることができる。このため、コイルバネ１４４のストロークを長くとることができ、軽快なクリック音を発することができる。
【００５３】
〔リールの操作及び動作〕
キャスティング時には、ベール１０３を糸開放姿勢側に倒す。そして釣り竿を振り出すことにより、スプール６４の外周に巻かれた釣り糸は繰り出される。
釣り糸巻き上げ時には、ベール１０３を糸巻取り姿勢側に倒す。この状態でハンドル６１を回転させると、この回転力はハンドル軸７０及びフェイスギア７１を介してピニオンギア７２に伝達される。このピニオンギア７２に伝達された回転力は、ピニオンギア前部７２ａを介してロータ６３に伝達される。
【００５４】
一方、ピニオンギア７２に噛み合う中間ギア８３によって螺軸８１が回転し、この螺軸８１の溝に噛み合うスライダ８２がガイド軸に案内されて前後方向に移動する。このため、スプール軸８０及びスプール６４が回転軸芯Ｘに沿って前後方向に往復動し、ベール１０３及びラインローラ１０１によってスプール６４に案内された釣り糸は、スプール６４の外周に前後方向に均一に巻き取られる。
【００５５】
魚がかかって釣り糸が繰り出され、スプール６４がドラグ力に抗して糸繰り出し方向に回転すると、回転部材１４２に対してスプール６４が回転し、凹凸部１３９側に付勢された音出しピン１４３と凹凸部１３９とが弾発的に衝突を繰り返してクリック音を発生する。このクリック音は、十分なバネストロークを有しているので軽快な音になる。
【００５６】
〔他の実施形態〕
（ａ）  音出しピンは線対称に１対ではなく１つでもよく複数でもよい。また、複数の場合に線対称に配置する必要はない。たとえば、音出しピンを、互いの間隔が凹凸部のピッチ角度の整数倍から１／Ｈｎ（開口穴の数）分ずれるように配置してもよい。このように配置するためには、複数の開口穴を円板部材の周方向に下記式で示す離反角度ずつ離れて形成すればよい。
【００５７】
離反角度＝Ｎ×ＰＡ＋（１／Ｈｎ）×ＰＡ
ただし、Ｎ  ：整数
ＰＡ：凹凸部のピッチ角度
Ｈｎ：開口穴の数
このような発音機構では、複数の音出しピンのピッチと凹凸部のピッチとが１／Ｈｎ分ピッチ分ずれているので、凹凸部のピッチ角度を１／Ｈｎにしたのと同様の効果が得られ、より軽快なクリック音を発生できる。
（ｂ）  スプールが一方向にのみ回転する場合には、開口穴に逃がし部を設けなくてもよい。
【００５８】
【発明の効果】
本発明に係る釣用リールの発音機構では、開口穴が円板部材の直径に対して傾斜しているので、直径に沿って開口穴を形成する場合に比べて開口穴の長さが同じであっても径方向のスペースが小さくなる。このため、小さなスペースで付勢部材のストロークを確保でき、径方向に小さなスペースであっても軽快なクリック音を発することができる。また、開口穴が傾斜して配置されているので、回転方向によって異なるクリック音が発生する。このため、スプールとスプール軸とが双方向に回転する場合には、クリック音により回転方向を判断できる。
【図面の簡単な説明】
【図１】本発明の一実施形態を採用した片軸受リールの断面図。
【図２】要部の拡大断面図。
【図３】発音機構の拡大断面図。
【図４】係脱機構を表す要部拡大断面図。
【図５】本発明の別の実施形態を採用したスピニングリールの断面図。
【図６】ドラグ機構の拡大断面図
【図７】発音機構の展開斜視図。
【図８】ドラグ機構の拡大断面図。
【符号の説明】
２、８０  スプール軸
３，６３  スプール
１５ａ，１３９  凹凸部
２６，１３３  発音機構
２７，１４５  開口溝
２７ａ，１４５ａ  逃がし部
２８，１４６  開口穴
３０ｂ  支持部
３０ｃ，１４０  蓋部材
３５，１４３  音出しピン
３５ａ，１４３ａ  平坦部
３５ｂ，１４３ｂ  発音部
３５ｃ，１４３ｃ  軸部
３７，１４４  コイルバネ
１４２  回転部材
【図１】
0003569372.tif 000002
【図２】
0003569372.tif 000003
【図３】
0003569372.tif 000004
【図４】
0003569372.tif 000005
【図５】
0003569372.tif 000006
【図６】
0003569372.tif 000007
【図７】
0003569372.tif 000008
【図８】
0003569372.tif 000009